(57)【要約】【課題】撮影条件を術者に確実に視認させることができる放射線撮影装置を提供する。【解決手段】本発明によれば、撮影条件を術者に確実に視認させることができる放射線撮影装置を提供できる。すなわち、本発明に係る撮影装置の表示部２９は、撮影条件をスクリーンセーバ画像内に表示する構成となっている。この様に構成することで、表示部２９から離れていた術者が再び表示部２９の前に戻ってきたときに、スクリーンセーバが起動していたとしても、術者は撮影条件を視認することができ、撮影のやり直しが少なく被検体の被曝が抑制された放射線撮影装置が提供できる。【選択図】図１
2015051205.tif 000002
【特許請求の範囲】
【請求項１】
（Ａ）術者の撮影条件の設定を入力させる入力手段と、
（Ｂ）設定された前記撮影条件に従って被検体に向けて放射線を照射する放射線源と、
（Ｃ）被検体から透過してきた放射線を検出する検出手段と、
（Ｄ１）スクリーンセーバ画像が表示可能となっている表示手段とを備え、
（Ｅ１）前記表示手段は、前記撮影条件をスクリーンセーバ画像内に表示することを特徴とする放射線撮影装置。
【請求項２】
（Ａ）術者の撮影条件の設定を入力させる入力手段と、
（Ｂ）設定された前記撮影条件に従って被検体に向けて放射線を照射する放射線源と、
（Ｃ）被検体から透過してきた放射線を検出する検出手段と、
（Ｄ２）術者にパスワードの入力を求めるパスワード入力画像が表示可能となっている表示手段とを備え、
（Ｅ２）前記表示手段は、前記撮影条件をパスワード入力画像に表示することを特徴とする放射線撮影装置。
【請求項３】
請求項１または請求項２に記載の放射線撮影装置において、
前記画像内に表示される撮影条件は、前記放射線源の制御条件であることを特徴とする放射線撮影装置。
【請求項４】
請求項１または請求項２に記載の放射線撮影装置において、
前記画像内に表示される撮影条件は、前記検出手段における放射線の照射範囲であることを特徴とする放射線撮影装置。
【請求項５】
請求項１ないし請求項４のいずれかに記載の放射線撮影装置において、
前記画像内に表示される撮影条件は、被検体に関する情報を含まないことを特徴とする放射線撮影装置。
【発明の詳細な説明】
【技術分野】
【０００１】
この発明は、被検体に放射線を照射することで透視像をイメージングする放射線撮影装置に係り、特に、スクリーンセーバ機能を有する表示部を備えた放射線撮影装置に関する。
【背景技術】
【０００２】
医療機関には放射線を照射して被検体Ｍのイメージングを行う放射線撮影装置が配備されている（例えば、特許文献１参照）。このような放射線撮影装置は、図７に示すように放射線を照射する放射線源５３と、放射線を検出するＦＰＤ５４とを備えている。放射線源５３とＦＰＤ５４との間には被検体Ｍを載置する天板５２が備えられている。
【０００３】
この様な放射線撮影装置は、図８左側に示すような操作パネルを備えている。操作パネルには、放射線撮影の際の撮影条件が表示される。操作パネルは、現状の撮影条件を表示するものである。従って、術者が装置に付属の入力装置を通じて撮影条件の設定の変更を行うと、操作パネルの表示がこれに従い更新される。
【０００４】
従来の放射線撮影装置は、長時間に亘り術者が何も入力しない状態が続くと、操作パネルにスクリーンセーバ画像が表示されるように構成される。スクリーンセーバ画像とは、操作パネルの劣化を防止する目的で用意された画像である。スクリーンセーバの具体例としては、例えば、黒一色の画像であったり、図８右側に示すような現在時刻を表示する画像であったりする。
【０００５】
操作パネルがスクリーンセーバ画像を表示している状態で術者が入力装置を操作すると、操作パネルは、スクリーンセーバ画像に代えて撮影条件を表示する。つまり、術者の入力によりスクリーンセーバモードに移行した操作パネルの表示が図８左側の状態に戻る。このようなスクリーンセーバ画像に似たものとして、セキュリティーを強化する目的で用意されたパスワード入力画像がある。
【先行技術文献】
【特許文献】
【０００６】
【特許文献１】特開２００３−２９０１９６号公報
【発明の概要】
【発明が解決しようとする課題】
【０００７】
しかしながら、従来の放射線撮影装置には次のような問題がある。
すなわち、従来の装置では、操作パネルがスクリーンセーバモードに移行してしまうと、撮影条件の確認が不足したまま術者が撮影を開始してしまう可能性がある。
【０００８】
従来の装置で撮影を行うときは、まず術者は被検体を天板５２に載置し、操作パネルの表示を視認しながら撮影条件の設定を行う。撮影条件の設定を終えた術者が例えば被検体の体位の調整をする必要性から操作パネルから離れたとし、その後に操作パネルはスクリーンセーバモード画像に移行したとする。
【０００９】
操作パネルの前に戻った術者が入力装置を通じて放射線照射開始の指示を行うと、操作パネルは、上述のようにスクリーンセーバ画像に代えて撮影条件を表示する。そして、放射線照射が開始されることになる。
【００１０】
上述の術者は、放射線の照射直前に撮影条件の確認が十分にできていない。すなわち、術者は、放射線照射開始の指示を行うときに撮影条件を視認してはいないのである。この時点の操作パネルには撮影条件ではなくスクリーンセーバ画像が表示されていたからである。
【００１１】
撮影の失敗を防ぐ観点でいえば、術者が入力装置を通じて放射線照射開始の指示を行う際に操作パネルに撮影条件が表示されていることが望ましい。術者が撮影条件の設定ミスに撮影直前になって気が付くことがあるからである。従来の構成によれば、撮影条件を確実に操作パネルに表示させるようにするには、操作パネルのスクリーンセーバ機能をオフにすることになる。この様な設定は、操作パネルの劣化防止や、セキュリティーの観点からすれば望ましいとは言えない。
【００１２】
本発明は、この様な事情に鑑みてなされたものであって、その目的は、撮影条件を術者に確実に視認させることができる放射線撮影装置を提供することにある。
【課題を解決するための手段】
【００１３】
本発明は上述の課題を解決するために次のような構成をとる。
すなわち、本発明に係る放射線撮影装置は、（Ａ）術者の撮影条件の設定を入力させる入力手段と、（Ｂ）設定された撮影条件に従って被検体に向けて放射線を照射する放射線源と、（Ｃ）被検体から透過してきた放射線を検出する検出手段と、（Ｄ１）スクリーンセーバ画像が表示可能となっている表示手段とを備え、（Ｅ１）表示手段は、撮影条件をスクリーンセーバ画像内に表示することを特徴とするものである。
【００１４】
［作用・効果］本発明によれば、撮影条件を術者に確実に視認させることができる放射線撮影装置を提供できる。すなわち、本発明に係る撮影装置の表示手段は、撮影条件をスクリーンセーバ画像内に表示する構成となっている。この様に構成することで、表示手段から離れていた術者が再び表示手段の前に戻ってきたときに、スクリーンセーバが起動していたとしても、術者は撮影条件を視認することができ、撮影のやり直しが少なく被検体の被曝が抑制された放射線撮影装置が提供できる。
【００１５】
また、本発明に係る放射線撮影装置は、（Ａ）術者の撮影条件の設定を入力させる入力手段と、（Ｂ）設定された撮影条件に従って被検体に向けて放射線を照射する放射線源と、（Ｃ）被検体から透過してきた放射線を検出する検出手段と、（Ｄ２）術者にパスワードの入力を求めるパスワード入力画像が表示可能画像が表示可能となっている表示手段とを備え、（Ｅ２）表示手段は、撮影条件をパスワード入力画像に表示することを特徴とするものである。
【００１６】
［作用・効果］本発明は、スクリーンセーバ画像を表示する構成に限られずパスワード入力画像を表示する構成についても有効である。すなわち、本発明に係る撮影装置の表示手段は、撮影条件をパスワード入力画像内に表示する構成となっている。この様に構成することで、表示手段から離れていた術者が再び表示手段の前に戻ってきたときに、パスワード入力画像が表示されていたとしても、術者は撮影条件を視認することができ、撮影のやり直しが少なく被検体の被曝が抑制された放射線撮影装置が提供できる。
【００１７】
また、上述の放射線撮影装置において、画像内に表示される撮影条件は、放射線源の制御条件であればより望ましい。
【００１８】
［作用・効果］上述の構成は、本発明に係る放射線撮影装置のより具体的な構成を例示するものである。画像内に表示される撮影条件が放射線源の制御条件であれば、術者は実際の撮影の前に放射線源がこれからどのような制御を受けるのかを確実に知ることができる。これにより、誤った線量で撮影がなされることがなくなり、装置の安全性はより高いものとなる。
【００１９】
また、上述の放射線撮影装置において、画像内に表示される撮影条件は、検出手段における放射線の照射範囲であればより望ましい。
【００２０】
［作用・効果］上述の構成は、本発明に係る放射線撮影装置のより具体的な構成を例示するものである。画像内に表示される撮影条件が検出手段における放射線の照射範囲であれば、術者は実際の撮影の前に検出手段のどの部分を使って撮影がなされるのかを確実に知ることができる。これにより、誤った線量で撮影がなされることがなくなり、装置の安全性はより高いものとなる。
【００２１】
また、上述の放射線撮影装置において、画像内に表示される撮影条件は、被検体に関する情報を含まなければより望ましい。
【００２２】
［作用・効果］上述の構成は、本発明に係る放射線撮影装置のより具体的な構成を例示するものである。画像内に表示される撮影条件が被検体に関する情報を含まなければ、よりプライバシーに配慮された放射線撮影装置が提供できる。術者が表示手段から離れてしまうと、第三者が表示手段を見てしまう事態も起こりえる。この様な場合でも、第三者は検査中の被検体を特定することができない。画像に被検体の個人情報が表示されていないからである。
【発明の効果】
【００２３】
本発明によれば、撮影条件を術者に確実に視認させることができる放射線撮影装置を提供できる。すなわち、本発明に係る撮影装置の表示手段は、撮影条件をスクリーンセーバ画像内に表示する構成となっている。この様に構成することで、表示手段から離れていた術者が再び表示手段の前に戻ってきたときに、スクリーンセーバが起動していたとしても、術者は撮影条件を視認することができ、撮影のやり直しが少なく被検体の被曝が抑制された放射線撮影装置が提供できる。
【図面の簡単な説明】
【００２４】
【図１】実施例１に係るＸ線撮影装置の全体構成を説明する機能ブロック図である。
【図２】実施例１に係る表示部を説明する平面図である。
【図３】実施例１に係る表示部を説明する平面図である。
【図４】実施例１に係る表示部を説明する平面図である。
【図５】実施例１に係るＸ線撮影装置の動作を説明するフローチャートである。
【図６】本発明の１変形例に係る表示部を説明する平面図である。
【図７】従来のＸ線撮影装置を説明する模式図である。
【図８】従来のＸ線撮影装置を説明する模式図である。
【実施例１】
【００２５】
以降、本発明の実施例を説明する。実施例におけるＸ線は、本発明の放射線に相当する。また、ＦＰＤは、フラット・パネル・ディテクタの略である。
【００２６】
＜Ｘ線撮影装置の全体構成＞
まず、実施例１に係るＸ線撮影装置１の構成について説明する。Ｘ線撮影装置１は、図１に示すように仰臥位の被検体Ｍを載置する天板２と、天板２の下側に設けられたＸ線を被検体Ｍに照射するＸ線管３と、天板２に載置されるとともに被検体Ｍの下部に配置された被検体Ｍを透過してきたＸ線を検出して検出信号を出力するＦＰＤ４とを備えている。ＦＰＤ４は、被検体Ｍの体軸方向Ａまたは体側方向Ｓのいずれかに沿った４つの辺を有する矩形となっている。このＦＰＤ４は、撮影の際、天板２の下部に配置され、そのＸ線を検出する検出面４ａは、Ｘ線管３および被検体Ｍ側に向いている。また、Ｘ線管３は、四角錐形状のＸ線をＦＰＤ４に向けて照射する。したがって、ＦＰＤ４は、Ｘ線を検出面４ａの全面で受光することになる。支柱５は、天板２の下側（他面側）から天板２の上側（一面側）に向けて伸びており、Ｘ線管３およびＦＰＤ４を支持している。このようにＸ線管３は、設定された撮影条件に従って被検体Ｍに向けて放射線を照射する構成であり、ＦＰＤ４は、被検体Ｍから透過してきた放射線を検出する構成である。Ｘ線管３は、本発明の放射線源に相当し、ＦＰＤ４は、本発明の検出手段に相当する。
【００２７】
Ｘ線管３には、Ｘ線管３から照射されるＸ線の広がりを制限するコリメータ３ａが設けられている。コリメータ３ａは、Ｘ線管３から照射されるＸ線の広がりを制限する。
【００２８】
Ｘ線管制御部６（図１参照）は、所定の管電流、管電圧、パルス幅でＸ線管３を制御する目的で設けられている。Ｘ線管制御部６の制御によりＸ線がＸ線管３から発せられると、Ｘ線は、被検体Ｍを透過してＦＰＤ４の検出面４ａに入射する。ＦＰＤ４の検出面４ａには、Ｘ線を検出する検出素子が２次元マトリックス状に配列されている。ＦＰＤ４は、各検出素子が検出したＸ線強度を検出素子の位置情報とともに検出信号として出力する。
【００２９】
画像生成部１１は、ＦＰＤ４より出力される検出信号を基に被検体Ｍの透視像の静止画を生成する。画像生成部１１は、本発明の画像生成手段に相当する。
【００３０】
主制御部２７（図１参照）は、各制御部を統括的に制御する目的で設けられている。この主制御部２７は、ＣＰＵによって構成され、各種のプログラムを実行することによりＸ線管制御部６および各部を実現している。また、上述の各部は、それらを担当する演算装置に分割されて実行されてもよい。記憶部２８は、装置制御に関する情報の一切を記憶する。表示部２９は、撮影条件や撮影された画像を表示するなどの目的で設けられている。なお、表示部２９は、撮影条件を含め撮影に関する情報を表示するとともに、表示をスクリーンセーバ画像に切替可能となっている。表示部２９は、本発明の表示手段に相当する。スクリーンセーバ画像とは、表示部２９が後述のスクリーンセーバモードに移行したときに表示する画像のことである。
【００３１】
入力部２６は、術者が行う撮影条件の入力や、撮影開始の指示などをＸ線撮影装置１に対して行うヒューマンインターフェースである。入力部２６の具体例としては、例えば、装置に付属のキーボードやマウス、装置に付設されている操作卓に配列された各種ボタン、およびフットスイッチなどを挙げることができる。このように入力部２６は、術者の撮影条件の設定を入力させる構成である。入力部２６は、本発明の入力手段に相当する。
【００３２】
＜表示部の構成＞
続いて、実施例１の構成に係る表示部２９について説明する。図２は、表示部２９の外見を表している。表示部２９には、これから撮影を行おうとする被検体Ｍの名前２９ａが表示される。この他、表示部２９は、Ｘ線管３の制御条件２９ｂや、ＦＰＤ４の使用領域２９ｃ等の撮影条件と、術者のメモ２９ｄ等が表示されている。
【００３３】
表示部２９はスクリーンセーバ機能を有している。スクリーンセーバとは、表示部２９の劣化を防止する目的で設けられている表示部２９の機能の一つである。スクリーンセーバ機能の意義について説明する。図２のような画像を表示部２９が表示し続けると、表示部２９を構成する画素のうち特定のものについての劣化が早まる。すなわち、表示部２９を構成する画素のうち、符号２９ａ〜２９ｄの各文字や記号を構成する画素は、常に同じ輝度で発光し続けており、符号２９ａ〜２９ｄの各文字や記号を構成しない画素は、暗いままである。
【００３４】
このまま図２のような表示を続けると、この画素の使用状況の差が表示部２９に焼き付いてしまい、表示部２９は、例え図２に示す表示を終了したとしても、符号２９ａ〜２９ｄの各文字や記号の残像が常に現れるようになってしまう。これを防ぐ目的で、表示部２９は、一定の時間同じ表示が連続した場合は、図２のような静止画に替えて、画素の使用状況を平均化するような動画を表示するように構成される。この様にすることで、各画素の劣化が画素同士で一定となるので、文字や記号の残像が表示部２９に現れることがなくなる。この動画を表示するモードがスクリーンセーバモードである。
【００３５】
＜本発明の特徴的な構成＞
図３は、表示部２９がスクリーンセーバモードに移行したときの様子を示している。図３に示すように、表示部２９には、Ｘ線管３の制御に関する撮影条件（Ｘ線管３の制御条件２９ｂ）の表示が表示されている。しかもこの撮影条件の表示は、図３の矢印が示すように、斜め方向に常に動いている。この様にすることにより、Ｘ線管３の制御条件２９ｂを示す文字が表示部２９に焼き付いてしまうことを防ぐことができる。このように、表示部２９は、撮影条件をスクリーンセーバ画像内に表示する。スクリーンセーバ画像内に表示される撮影条件とは、Ｘ線管３の制御条件である。
【００３６】
また、スクリーンセーバ画像内に表示される撮影条件は、被検体Ｍに関する情報を含まない。検体に関する情報とは、具体的には図２における被検体Ｍの名前２９ａと術者のメモ２９ｄのことである。この様な構成とすることで、術者が表示部２９から離れている隙に第三者が表示部２９を視認したとしても、第三者は被検体Ｍの個人情報を取得することはできない。
【００３７】
Ｘ線管３の制御条件２９ｂの表示の移動様式としては、特に限定されないが、例えば、Ｘ線管３の制御条件２９ｂを表示するブロックが斜め方向に移動することにより表示部２９の一端まで移動し尽くすと、この一端からブロックが反射するように移動方向を変わる様式がある。ブロックの移動方向を調整することにより、例えば、Ｘ線管３の制御条件２９ｂを表示するブロックを図４の上段に示すように渦巻き状の軌跡を辿らせるように移動させることもできる。また、図４の中段、下段に示すようにブロックを横方向、または縦方向に往復するように移動させることもできる。
【００３８】
スクリーンセーバモードに移行した表示部２９は、常に入力部２６を通じて術者の入力を監視している。入力部２６を通じて術者が装置に何らかの入力を与えると、表示部２９は、スクリーンセーバモードを解除し、表示部２９の表示は、図３の状態から図２の状態に戻る。
【００３９】
＜Ｘ線撮影装置の動作＞
続いて、Ｘ線撮影装置の動作について図５を参照しながら説明する。実施例１に係るＸ線撮影装置１で被検体ＭのＸ線撮影を行うには、まず、被検体Ｍを天板２に載置することで被検体ＭをＸ線撮影装置１にセットする（被検体載置ステップＳ１）。続いて、術者は、入力部２６を通じて撮影条件を設定する（撮影条件設定ステップＳ２）。撮影条件の設定とは例えば、術者が表示部２９に表示された撮影様式のうちの１つを入力部２６で選択することにより行われる。このときの撮影様式とは、例えば、胸部撮影などの撮影目的が付されており、術者が表示部２９上の胸部撮影の表示を選択する動作をすると、胸部撮影に適した撮影条件が自動で設定される。
【００４０】
撮影条件とは、例えば、管電流、管電圧、パルス幅などのＸ線管３に関するものと、ＦＰＤ４のどの部分を撮影に用いるかを示すデータ等のＦＰＤ４に関するものとがある。また、上述の撮影条件にコリメータ３ａの開度に関する情報や、画像生成部１１の画像生成に関する設定値などを含めるようにしてもよい。この様に、実施例１におけるＸ線撮影装置１は、撮影様式に対応した各種の撮影条件がプリセットで決められており、主制御部２７は、術者の入力部２６を通じた選択に従って、各種撮影条件の設定がなされる。主制御部２７は、撮影様式と各種の撮影条件とが対応したテーブルを参照することで撮影条件が設定される。設定された各種撮影条件は、図２に示すように表示部２９に表示される。
【００４１】
また、術者は撮影様式を設定することで自動的に設定された撮影条件を微調整することができる。このような微調整は、術者が表示部２９に表示された撮影条件を示す数値等を入力部２６を通じて変更することで実現される。このように変更された各種撮影条件は、表示部２９に表示される。また、表示部２９は、被検体Ｍの氏名や病歴などの被検体Ｍに関する情報を入力部２６を通じてＸ線撮影装置１に入力することができる。このような被検体Ｍに関する情報も表示部２９に表示される。図２における符号２９ａは、被検体Ｍの氏名が表示部２９に表示されている様子を表しており、符号２９ｄは、病歴などの被検体Ｍに関する情報が表示部２９に表示されている様子を表している。
【００４２】
＜スクリーンセーバモード起動ステップＳ３＞
ここで、術者が、被検体Ｍの体位調整の目的で表示部２９から離れたものとする。この様な事態は撮影をする前に天板２上の被検体Ｍが動いてしまった場合や、術者がコリメータ３ａの開度を調節する場合などに起こりえる。術者が表示部２９から離れてしばらくすると表示部２９は、スクリーンセーバモードに移行する。この様な動作は、入力部２６に術者が入力を行った旨のデータを表示部２９が逐次取得することで実現する。表示部２９は、入力部２６を通じた術者の入力が最後になされてから所定の時間が経過すると、スクリーンセーバモードを起動させる。最後の入力からスクリーンセーバモードが起動するまでの時間は、記憶部２８に記憶された設定値が規定するものであり、設定値を変更することで調節することができる。表示部２９は、この設定値を記憶部２８より読み取ることで、最後の入力からスクリーンセーバモードが起動するまでの時間を認識して動作する。
【００４３】
このとき、表示部２９に表示された画像は、図３のようなものである。したがって表示部２９は、術者が近くにいなくても、Ｘ線管３の制御に関する設定値を表示し続けているということになる。しかも、設定値を示す文字群は、一つのブロックとなって表示部２９のモニタ上を移動しているので、設定値の文字群が表示部２９のモニタに焼き付いてしまうことがない。
【００４４】
＜入力ステップＳ４・スクリーンセーバモード終了ステップＳ５＞
被検体Ｍの前で行う操作が終了した術者が、再び表示部２９に戻ると、術者は表示部２９に表示されたＸ線管３の制御に関する設定値を視認する。表示部２９の前に戻った術者が入力部２６を通じて何らかの入力を行うと、入力部２６は、術者の入力があった旨を示すデータを表示部２９に送出し、表示部２９は、それを受けてスクリーンセーバモードを終了する。すると、表示部２９の表示は、図２のようなものに戻る。
【００４５】
＜撮影開始ステップＳ６＞
上述の入力ステップＳ４における術者の指示が撮影開始の指示であったとする。この場合、Ｘ線管制御部６は、上述の撮影条件設定ステップＳ２で設定されたＸ線管３の制御に関する設定値に基づいてＸ線管３を制御する。Ｘ線管３は、この制御を受けて設定値通りにＸ線の照射を開始する。このＸ線管３のＸ線照射に関する設定値は、スクリーンセーバモード起動ステップＳ３において表示部２９に表示された設定値と同じものである。
【００４６】
Ｘ線照射が終了し、ＦＰＤ４がＸ線の検出データを画像生成部１１に送出すると、画像生成部１１はこれを受けて被検体Ｍの透視像が写り込んだＸ線画像を生成する。Ｘ線画像が表示部２９に表示されて、Ｘ線撮影装置１を用いた撮影動作は終了となる。
【００４７】
以上のように、本発明によれば、撮影条件を術者に確実に視認させることができる放射線撮影装置を提供できる。すなわち、本発明に係る撮影装置の表示部２９は、撮影条件をスクリーンセーバ画像内に表示する構成となっている。この様に構成することで、表示部２９から離れていた術者が再び表示部２９の前に戻ってきたときに、スクリーンセーバが起動していたとしても、術者は撮影条件を視認することができ、撮影の失敗が少なく被検体Ｍの被曝が抑制された放射線撮影装置が提供できる。
【００４８】
上述のように、スクリーンセーバ画像内に表示される撮影条件がＸ線管３の制御条件であれば、術者は実際の撮影の前にＸ線管３がこれからどのような制御を受けるのかを確実に知ることができる。これにより、誤った線量で撮影がなされることがなくなり、装置の安全性はより高いものとなる。
【００４９】
また、上述のように、スクリーンセーバ画像内に表示される撮影条件がＦＰＤ４における放射線の照射範囲であれば、術者は実際の撮影の前にＦＰＤ４のどの部分を使って撮影がなされるのかを確実に知ることができる。これにより、誤った線量で撮影がなされることがなくなり、装置の安全性はより高いものとなる。
【００５０】
また、スクリーンセーバ画像内に表示される撮影条件が被検体Ｍに関する情報を含まなければ、よりプライバシーに配慮された放射線撮影装置が提供できる。術者が表示部２９から離れてしまうと、第三者が表示部２９を見てしまう事態も起こりえる。この様な場合でも、第三者は検査中の被検体Ｍを特定することができない。画像に被検体Ｍの個人情報が表示されていないからである。
【００５１】
本発明は上述の構成に限られず、下記のように変形実施することができる。
【００５２】
（１）上述の実施例では、表示部２９はスクリーンセーバモードを終了する際に、スクリーンセーバモードの起動前の画面（図２参照）を表示するような構成となっていたが、本発明はこれに限られない。スクリーンセーバモードが起動した表示部２９は、入力部２６に何らかの入力がされると、図６に示すような装置の操作がロックされたときに表示されるパスワード入力画像を表示部２９に表示させるようにしてもよい。つまり、本変形例に係る表示部２９は、撮影条件を含め撮影に関する情報を表示するとともに、表示を術者にパスワードの入力を求めるパスワード入力画像に切替可能となっている。
【００５３】
このようなパスワード入力画像には、図６に示すように術者のユーザＩＤとパスワードを入力させるボックス２９ｅと、図３で説明したＸ線管３の制御に関する撮影条件とが同時に表示されている。すなわち、本変形例に係る表示部２９は、撮影条件をパスワード入力画像に表示するのである。このとき図３で説明したように被検体Ｍの個人情報は表示部２９に表示されない。
【００５４】
術者がこのパスワード入力画像を通じてユーザＩＤと正しいパスワードとを装置に入力すると、表示部２９の表示は図２の状態に戻る。すなわち、この変形例によれば、表示部２９の表示は、図２の状態からスクリーンセーバモードが起動して図３の状態となった後、入力部２６の入力を感知して図６の状態となる。そして、表示部２９の表示は、入力部２６を通じたパスワードの入力により図２の状態に戻る。
【００５５】
この変形例において、パスワード入力画像では、撮影条件を示す文字群を静止させて表示するようにしてもよい。また、この変形例においてスクリーンセーバモードが起動した表示部２９には必ずしも図３のような表示させておく必要なく、例えばスクリーンセーバモードの起動中の表示部２９が黒一色の画像を表示するように構成してもよい。さらには、スクリーンセーバモードを省略し、入力部２６を通じた操作が一定時間行われないような場合、パスワード入力画像を表示部２９に表示するようにしてもよい。この場合、最後の入力からパスワード入力画像が表示されるまでの時間は、記憶部２８に記憶された設定値が規定するものであり、設定値を変更することで調節することができる。表示部２９は、この設定値を記憶部２８より読み取ることで、最後の入力からパスワード入力画像が表示されるまでの時間を認識して動作する。
【００５６】
このように、本発明は、スクリーンセーバ画像を表示する構成に限られずパスワード入力画像を表示する構成についても有効である。すなわち、本発明に係る撮影装置の表示部２９は、撮影条件をパスワード入力画像内に表示する構成となっている。この様に構成することで、表示部２９から離れていた術者が再び表示部２９の前に戻ってきたときに、パスワード入力画像が表示されていたとしても、術者は撮影条件を視認することができ、撮影の失敗が少なく被検体Ｍの被曝が抑制された放射線撮影装置が提供できる。
【００５７】
（２）上述の実施例では、Ｘ線管３の制御条件がスクリーンセーバ起動中の表示部２９に表示するようにしていたが、これに加えてＦＰＤ４のどの部分を撮影に用いるかを示すデータ等のＦＰＤ４に関する情報、コリメータ３ａの開度に関する情報、または画像生成部１１の画像生成に関する設定値などを含めて表示するようにしてもよい。本変形例におけるスクリーンセーバ画像内に表示される撮影条件は、例えばＦＰＤ４における放射線の照射範囲である。スクリーンセーバ起動中の表示部２９に表示する対象を上述の情報のうちどれにするかは適宜選択することができる。さらに、この変形例の場合、Ｘ線管３の制御条件は必ずしもスクリーンセーバ起動中の表示部２９に表示されなくてもよい。また、上述の変形例（１）におけるパスワード入力画像についても本変形例を採用することができる。
【００５８】
（３）上述の実施例では、術者が入力部２６を操作しない時間がある一定の長さを超えたことをスクリーンセーバを起動させる条件としていたが本発明はこの構成に限られない。術者が入力部２６を通じてスクリーンセーバの起動を指示する構成としてもよい。この変形例は、上述の実施例と併用が可能な構成となっている。また、上述の変形例（１）におけるパスワード入力画像についても本変形例を採用することができる。
【００５９】
（４）上述の実施例では、撮影条件を表示する表示部２９のスクリーンセーバ画像やパスワード入力画像についてのものであったが、本発明はこの構成に限られない。Ｘ線撮影装置１に設けられたモニタのうち、撮影条件を表示する目的で設けられていないものについてもスクリーンセーバ画像やパスワード入力画像を表示するものであれば、本発明を適用することができる。
【符号の説明】
【００６０】
３     Ｘ線管（放射線源）
４     ＦＰＤ（検出手段）
２６   入力部（入力手段）
２９   表示部（表示手段）
【図１】
2015051205.tif 000003
【図２】
2015051205.tif 000004
【図３】
2015051205.tif 000005
【図４】
2015051205.tif 000006
【図５】
2015051205.tif 000007
【図６】
2015051205.tif 000008
【図７】
2015051205.tif 000009
【図８】
2015051205.tif 000010